(57)【特許請求の範囲】
【請求項１】
入力する情報の入力速度より速い記録速度で前記情報を記録媒体に記録すると共に、前記記録媒体に記録されている記録情報の読取速度より遅い出力速度で前記記録情報を再生出力することにより、記録しながら再生し得る情報記録媒体再生装置において、
前記情報の記録が開始された記録開始時刻と、前記記録情報の再生が前記情報の記録に追い付く追付時刻と、現在の時刻を示す現在時刻とに応じて、前記記録情報のｍ倍速再生を決定する決定手段と、
前記記録媒体上における前記記録情報の再生時間と記録位置の対応を示す集中情報に基づいて、前記記録情報をｍ倍速再生で再生するための再生アドレスマップを作成する作成手段と、
前記入力速度と前記記録速度との差に基づく空き時間が得られたとき、前記再生アドレスマップに応じて再生制御を行う制御手段と、
前記現在時刻が前記追付時刻を越えたか否かを判定する判定手段と、
前記判定手段により前記現在時刻が前記追付時刻を越えたと判定されたときに、前記再生アドレスマップに換えて１倍速再生に必要なアドレスマップを更新する更新手段と、
を備えることを特徴とする情報記録再生装置。
【請求項２】
前記決定手段は、前記追付時刻と前記記録開始時刻との差を、前記追記時刻と前記現在時刻との差で除して、前記ｍ倍速再生を決定することを特徴とする請求項１に記載の情報記録再生装置。
【請求項３】
前記制御手段は、前記決定手段によって決定されたｍ倍速再生で前記記録情報の再生が可能か否かを判断することを特徴とする請求項１に記載の情報記録再生装置。
【請求項４】
入力する情報の入力速度より速い記録速度で前記情報を記録媒体に記録すると共に、前記記録媒体に記録されている記録情報の読取速度より遅い出力速度で前記記録情報を再生出力することにより、記録しながら再生し得る情報記録再生方法において、
前記情報の記録が開始された記録開始時刻と、前記記録情報の再生が前記情報の記録に追い付く追付時刻と、現在の時刻を示す現在時刻とに応じて、前記記録情報のｍ倍速再生を決定する決定工程と、
前記記録媒体上における前記記録情報の再生時間と記録位置の対応を示す集中情報に基づいて、前記記録情報をｍ倍速再生で再生するための再生アドレスマップを作成する作成工程と、
前記入力速度と前記記録速度との差に基づく空き時間が得られたとき、前記再生アドレスマップに応じて再生制御を行う制御工程と、
前記現在時刻が前記追付時刻を越えたか否かを判定する判定工程と、
前記判定工程により前記現在時刻が前記追付時刻を越えたと判定されたときに、前記再生アドレスマップに換えて１倍速再生に必要なアドレスマップを更新する更新工程と、
を有することを特徴とする情報記録再生方法。
【請求項５】
前記決定工程では、前記追付時刻と前記記録開始時刻との差を、前記追付時刻と前記現在時刻との差で除して、前記ｍ倍速再生を決定することを特徴とする請求項４に記載の情報記録再生方法。
【請求項６】
前記制御工程では、前記決定工程にて決定されたｍ倍速再生で前記記録情報の再生が可能か否かを判断することを特徴とする請求項４に記載の情報記録再生方法。
【発明の詳細な説明】
【０００１】
【発明の属する技術分野】
本発明は、記録媒体からの情報の再生と、記録媒体への情報の記録とが共に可能な情報記録再生装置及び情報記録再生方法に関し、より詳細には、情報を記録しながら再生し得る情報記録再生装置及び情報記録再生方法に関する。
【０００２】
【従来の技術】
従来、動画等の情報の記録及び再生の双方が共に可能な情報記録再生装置としては、いわゆるＶＴＲ(Video Tape Recorder)が普及している。
上記の従来のＶＴＲでは、記録及び再生を行うヘッドは一つであり、当該ヘッドを用いて一つのビデオテープに対して情報の記録及び再生を実行する構成となっている。
【０００３】
【発明が解決しようとする課題】
しかしながら、上記従来のＶＴＲの構成では、一つのヘッドを用いて情報の記録及び再生を行っているので、情報の記録と再生を同時に行うことはできなかった。
従って、例えば、情報の記録中にそれまで記録されていた情報を、始めから再生したいときは、その時点で記録を中止して再生するか、又はすべての情報の記録を終了してからそれを再生する必要があった。
【０００４】
本出願人は、上記の必要から、情報の記録と再生を見掛け上同時に行なう装置を特願平１０−９８３３号として既に提案した。この提案した情報記録再生装置は、記録する情報であるテレビ番組等の画像情報をディジタル圧縮処理して圧縮データを生成し、かかる圧縮データを光ディスクに記録すると共に、当該記録された圧縮データを光ディスクから読取って上記圧縮処理に相当する伸張処理を施して再生信号として出力する装置であって、上記圧縮／伸張処理に伴って現れる空き時間を利用して、光ディスク上の記録位置と再生位置とを順次検索して記録／再生処理を行なうことにより、見掛け上、記録／再生を同時に行なう機能を実現している。この提案した情報記録再生装置により、録画を開始した時間に対して所定の時間だけシフトした時間から、上記録画したテレビ番組の再生（以下、タイムシフト再生と称する。）を行なうことが可能となる。
しかしながら、上記提案した情報記録再生装置では、単に再生の開始時間をシフトするだけなので、利便性が十分ではない。例えば、ユーザがテレビの録画予約を午後９時から午後１１時まで設定した状態で、午後１０時に帰宅した場合、録画中のテレビ番組を上記タイムシフト再生すると午後１０時から午後１２時まで再生時間が必要となる。したがって、視聴者の都合で午後１１時までに見終わる必要が有る場合には、視聴者は再生を途中で諦めなければならない。
【０００５】
本発明は、上記の問題点にかんがみて為されたもので、その目的は、一つの記録媒体に対して、情報の記録と再生を行う情報記録再生装置及び情報記録再生方法において、当該記録と再生を見掛け上同時に実行させるとともに、すでに記録された情報の再生は、任意の倍速再生を設定することにより、記録時刻に追いつくことにより利便性を向上させることが可能な情報記録再生装置及び情報記録再生方法を提供することにある。
【０００６】
【課題を解決するための手段】
本発明に係る情報再生装置は、上記の課題を解決するために、入力する情報の入力速度より速い記録速度で前記情報を記録媒体に記録すると共に、前記記録媒体に記録されている記録情報の読取速度より遅い出力速度で前記記録情報を再生出力することにより、記録しながら再生し得る情報記録媒体再生装置において、前記情報の記録が開始された記録開始時刻と、前記記録情報の再生が前記情報の記録に追い付く追付時刻と、現在の時刻を示す現在時刻とに応じて、前記記録情報のｍ倍速再生を決定する決定手段と、前記記録媒体上における前記記録情報の再生時間と記録位置の対応を示す集中情報に基づいて、前記記録情報をｍ倍速再生で再生するための再生アドレスマップを作成する作成手段と、前記入力速度と前記記録速度との差に基づく空き時間が得られたとき、前記再生アドレスマップに応じて再生制御を行う制御手段と、前記現在時刻が前記追付時刻を越えたか否かを判定する判定手段と、前記判定手段により前記現在時刻が前記追付時刻を越えたと判定されたときに、前記再生アドレスマップに換えて１倍速再生に必要なアドレスマップを更新する更新手段と、を備える。
また、本発明に係る情報記録再生方法は、上記課題を解決するために、入力する情報の入力速度より速い記録速度で前記情報を記録媒体に記録すると共に、前記記録媒体に記録されている記録情報の読取速度より遅い出力速度で前記記録情報を再生出力することにより、記録しながら再生し得る情報記録再生方法において、前記情報の記録が開始された記録開始時刻と、前記記録情報の再生が前記情報の記録に追い付く追付時刻と、現在の時刻を示す現在時刻とに応じて、前記記録情報のｍ倍速再生を決定する決定工程と、前記記録媒体上における前記記録情報の再生時間と記録位置の対応を示す集中情報に基づいて、前記記録情報をｍ倍速再生で再生するための再生アドレスマップを作成する作成工程と、前記入力速度と前記記録速度との差に基づく空き時間が得られたとき、前記再生アドレスマップに応じて再生制御を行う制御工程と、前記現在時刻が前記追付時刻を越えたか否かを判定する判定工程と、前記判定工程により前記現在時刻が前記追付時刻を越えたと判定されたときに、前記再生アドレスマップに換えて１倍速再生に必要なアドレスマップを更新する更新工程と、を有する。
【０００７】
【発明の実施の形態】
次に、本発明に好適な実施の形態について、図面に基づいて説明する。なお、以下に説明する実施の形態は、光学的に情報の記録及び再生が可能なディスク状の記録媒体（以下、単に光ディスクという。）と、これに対応した情報の記録及び再生が可能な情報記録再生装置に対して、本発明を適用した場合の実施形態である。
【０００８】
始めに、図１を用いて、本発明の実施形態に係る情報記録再生装置Ｓの構成について説明する。
図１に示すように、実施形態の情報記録再生装置Ｓは、記録手段及び検出手段としてのピックアップ２と、Ａ／Ｄ（アナログ／ディジタル）コンバータ３と、加工手段としての圧縮回路４と、記録情報記憶手段としての記録バッファメモリ５と、エンコーダ６と、記録回路７と、再生回路８と、デコーダ９と、記憶手段としての再生バッファメモリ１０と、再加工手段としての伸長回路１１と、Ｄ／Ａ（ディジタル／アナログ）コンバータ１２と、スピンドルモータ１３と、制御手段としてのＣＰＵ１４と、サーボ回路１５と、操作部１６と、表示部１７とにより構成されている。
【０００９】
上記の構成のうち、ピックアップ２、Ａ／Ｄコンパータ３、圧縮回路４、記録バッファメモリ５、エンコーダ６及び記録回路７が情報記録手段としての情報記録部Ｒを構成している。
また、ピックアップ２、再生回路８、デコーダ９、再生バッファメモリ１０、伸長回路１１及びＤ／Ａコンバータ１２が情報再生手段としての情報再生部Ｐを構成している。
【００１０】
次に、上記構成に基づく本発明の情報記録再生装置の概要動作を説明する。
始めに、外部からの記録すべき情報を記録媒体としての光ディスク1に記録する場合について説明する。
外部から記録すべき情報（当該記録すべき情報としては、具体的には、画像情報又は音声情報或いはその双方が含まれる。）に対応する情報信号Ｓin（アナ口グ信号）が入力されてくると、Ａ／Ｄコンバータ３は当該情報信号Ｓinをディジタル化し、予め設定された入力レートＭｒのディジタル情報信号Ｓdを生成して圧縮回路４へ出力する。
そして、圧縮回路４は、ＣＰＵ１４から出力されている制御信号Ｓct5に基づいて、入力されてくるディジタル情報信号Ｓdを圧縮し、圧縮情報信号Ｓpdを生成して記録バッファメモリ５へ出力する。このとき、当該ディジタル情報信号Ｓｄを圧縮する際には、例えば、デジタル情報信号Ｓｄが動画の場合ＭＰＥＧ２（Moving  Picture  coding  Expert  Group２）方式等の圧縮方式が用いられる。
【００１１】
次に、記録バッファメモリ５は、入力されてくる圧縮情報信号Ｓpdをそのまま一時的に記憶する。このとき、当該記録バッファメモリ５は蓄積された圧縮情報信号Ｓpdのデータ量を示すデータ量信号Ｓmrを常にＣＰＵ１４に出力している。
次に、エンコーダ６は、ＣＰＵ１４から出力されている制御信号Ｓct4に基づいて、記録バッファメモリ５からディジタル情報信号Ｓｄの入カレートＭr以上の高い記録レートＲrで読み出された圧縮情報信号Ｓｐｄをエンコード（符号化）してエンコード信号Ｓedを生成して記録回路７へ出力する。
【００１２】
そして、記録回路７は、ＣＰＵ１４から出力されている制御信号Ｓct2に基づいて、入力されてくるエンコード信号Ｓedを記録用の記録信号Ｓrに変換し、ピックアップ２へ出力する。このとき記録回路７においては、記録すべき情報に正確に対応した形状のピットを後述する光ディスク１上に形成すべく、エンコード信号Ｓedに対していわゆるライトストラテジ処理等が施される。
次に、ピックアップ２は、記録回路７から出力されている記録信号Ｓrに基づいて、当該ピックアツブ２内の図示しない半導体レーザ等の光源を駆動してレーザ光等の光ビームＢを生成して光ディスク１の情報記録面に照射し、当該記録信号Ｓrに対応するピットを形成することにより上記記録レートＲrに対応する速度で情報信号Ｓinを光ディスク１上に記録する。このとき、当該光ディスク１は、後述するスピンドル制御信号Ｓsmに基づいて駆動されるスピンドルモータ１３により所定の回転数で回転されている。なお、当該光ディスク１上では、例えば、相変化方式により記録信号Ｓrに対応するピットが形成されて情報信号Ｓinが記録される。
【００１３】
次に、光ディスク１に記録されている情報を再生する場合の動作について説明する。
再生時においては、先ず、ピックアップ２が再生用の光ビームＢを回転する光ディスク１に照射し、その反射光に基づいて光ディスク１上に形成されているピットに対応する検出信号Ｓpを検出レートＲpで生成し、再生回路８に出力する。
次に、再生回路８は、ＣＰＵ１４から出力されている制御信号Ｓct1に基づいて、出力された検出信号Ｓpを所定の増幅率で増幅すると共にその波形を整形し、再生信号Ｓppを生成してデコーダ９に出力する。
【００１４】
そして、デコーダ９は、ＣＰＵ１４から出力されている制御信号Ｓct3に基づいて、上記エンコーダ６におけるエンコード方式に対応するデコード（復号）方式により再生信号Ｓppをデコードし、デコード信号Ｓddを生成して上記検出レートＲpに対応する速度で再生バッファメモリー１０へ出力する。
次に、再生バッファメモリ１０は、入力されてくるデコード信号Ｓddをそのまま一時的に記憶する。このとき、当該再生バッファメモリ５は蓄積されたデコード信号Ｓddのデータ量を示すデータ量信号Ｓmpを常にＣＰＵ１４に出力している。
【００１５】
次に、伸長回路１１は、ＣＰＵ１４から出力されている制御信号Ｓct6に基づいて、一時的に再生バッファメモり１０に記憶されているデコード信号Ｓddを上記検出信号Ｓpの検出レートＲp以下の低い出力レートＭpで読み出し、読み出したデコード信号Ｓddに対して上記圧縮回路４における圧縮処理に対応する伸長処理を施し、伸長信号Ｓoを生成してＤ／Ａコンバータ１２に出力する。
そして、Ｄ／Ａコンバータ１２は、伸長信号Ｓoをアナログ化し、上記情報信号Ｓinに対応する出力信号Ｓoutを生成して外部に出力する。
【００１６】
以上説明した情報記録又は情報再生の動作に伴って、ＣＰＵ１４は上記デー夕量信号Ｓmp又はＳmrに基づいて、後述のフローチャートで示す処理を実行すべく上記各制御信号を出力する。このとき、操作部１６は、使用者等により為された操作に対応する指示信号ＳcをＣＰＵ１４に出力し、当該指示信号Ｓcに基づいてＣＰＵ１４が上記各制御信号Ｓct1乃至Ｓct6を夫々出力する。
これと並行して、ＣＰＵ１４は、スピンドルモータ１３及びピックアツプ２をサーボ制御するための制御信号Ｓct7を生成してサーボ回路１５に出力し、当該サーボ回路１５は、制御信号Ｓct7に基づいてスピンドルモータ１３の回転を制御するための上記スピンドル制御信号Ｓsmを生成して当該スピンドルモータ１３に出力すると共に、ピックアップ２におけるいわゆるトラッキングサーボ制御及び，フォーカスサーボ制御のためのピックアップ制御信号Ｓspを生成して当該ピックアップ２に出力する。そして、ピックアップ２は、当該ピックアップ制御信号Ｓspに基づき、光ビームＢに対してトラッキングサーボ制御及びフォーカスサーボ制御を施しつつ上記記録信号Ｓr（情報信号Ｓin）の記録又は検出信号Ｓpの検出を行う。また、上述した情報記録再生装置Ｓの動作を使用者が制御するために必要な情報は、ＣＰＵ１４からの表示信号Ｓdpに基づいて表示部１７に表示される。
【００１７】
次に、上記構成を有する情報記録再生装置Ｓにおける本発明に係る記録と再生の同時制御について図２、および、図３を用いて説明する。なお、図２において、ステップＳ１からＳ６は装置が情報録画中であったときに、情報再生時間をどの程度短縮すればリアルタイムの情報録画時に追いつくかを演算し設定する処理を示し、図３において、ステップＳ７からＳ１１が情報録画を実行する際の処理を示し、ステッブＳ１２からＳ１９が情報再生を実行する際の処理を示し、見かけ上情報記録と情報再生を同時に実行する際の処理を示している。
【００１８】
始めに、情報録画中であったときに、情報再生時間をどの程度短縮すれば、情報再生がリアルタイムの情報録画時に追いつくかを演算し設定する場合の動作について説明する。
情報記録再生装置Ｓにおいて、使用者は、まず、操作部１６に追いつき時刻Ｔreachを指示する（ステップＳ１）と、ＣＰＵ１４で情報録画中の録画開始時刻Ｔinを検出し、現在時刻Ｔnowおよび情報録画/情報再生終了時刻Ｔoutを確認し（ステップＳ２）、これらの条件から、どのような（Ｍ）倍速再生モードであれば情報再生が指定された時刻Ｔreachに追いつくかを次式に基づいて演算する（ステップＳ３）。
【数１】
Ｍ＝（Ｔreach-Ｔin）／（Ｔreach-Ｔnow）
ここで、情報再生可能な倍速の上限等は、予め決められているが、この条件から情報記録終了時刻までに、情報再生の追いつき時刻Ｔreachを設定できるか否かが判定され（ステップＳ４）、設定不能であれば（ステップＳ４；no）表示部１７にエラーが表示され（ステップＳ５）、再び、操作部１６で異なった追いつき時刻Ｔreachを再指示（ステップＳ１）し、以下ステップＳ４までの動作を繰り返す。逆に、Ｍ倍速再生モードで設定可能であれば（ステップＳ４；yes）,ＣＰＵ１４がＭ倍速再生に必要な再生アドレスｍａｐを作成する（ステップＳ６）。再生アドレスｍａｐは、記録動作時に光ディスク１の特定領域に記録される集中情報に基づいて作成される。集中情報は、この実施形態の場合、記録された情報の再生時間（当該記録された情報を一倍速で再生した場合の経過時間）に換算して例えば１秒毎の対応する情報が記録されている光ディスク１上の記録位置（アドレス）として提供されるものである。この集中情報は情報が新たに記録されると、その都度更新（追加）記録される。したがって、例えば、上記ステップＳ３で算出されたＭが２であった場合、つまり２倍速再生モードとされた場合には、ＣＰＵ１９は、上記集中情報から、例えば１秒置きに、１秒分の情報の開始アドレスと終了アドレスとを対にして、これを再生すべき情報（この実施形態の場合、記録中のテレビ番組であって、既に記録済みの情報のことである。）全てに亘って抽出し、図示しない内部メモリに再生アドレスｍａｐとして構築し記憶するのである。
なお、この実施形態では、例えばＭＰＥＧ２方式の圧縮方式で圧縮情報信号Ｓpdを生成するが、通常この手の圧縮方式では、前画面との差分情報を情報データとして記録するため、記録すべき情報（映像）に応じてデータ量が異なることとなる。例えば、静止画の場合には一フレーム（画面一枚）の全てに亘って前画面との差分情報はゼロであるし、場面展開（シーンチェンジ）する場合には一フレーム全てに亘って差分情報が発生する。このように、記録すべき情報に応じて実際に記録されるデータ量が異なるため、再生時間に換算したときに同じ１秒であっても、光ディスク１から実際に再生するデータ量は異なるのである。つまり、レーザディスクのようなアナログ情報を記録する光ディスクとは異なり、この実施形態における光ディスク１上では、かかる光ディスク１のアドレスと記録された情報の再生時間とは線形の関係にはないため、実際に記録した情報に再生時間を対応付ける上記集中情報が必要となるのである。
【００１９】
ついで、ステップＳ７乃至Ｓ１１の情報録画を実行する際の動作について説明する。
ＣＰＵ１４がＭ倍速再生に必要な再生アドレスｍａｐを作成すると（ステップＳ６）、現在時刻が情報記録時刻Ｔoutを越えたか否かを判定するが（ステップＳ７）、情報記録時刻Ｔoutを越えていなければ（ステップＳ7；no）、ＣＰＵ１４が記録バッファメモリ５（容量はＢrである。）からのデータ量信号Ｓmrによって、データ蓄積量をチェックし（ステップＳ８）、図４に示すように記録バッファメモリ５の蓄積データ量は第１の所定量以上か否かを判定する（ステップＳ９）。
【００２０】
ステップＳ９で記録バッファメモリ５の蓄積量が第１の所定量以上であると判定すれば（ステップＳ９；yes）、エンコードされているエンコード信号Ｓedを記録すべき光ディスク１での記録位置をサーチして（ステップＳ９）、第２の所定量のデータをピックアップ２を介して記録する。このとき、記録バッファメモリ５は、常に、記録すべき情報信号ＳinのＡ／Ｄ変換のデジタル信号Ｓd、及び、これに続く圧縮処理した圧縮情報信号Ｓpdを、予め定められた入力レートＭｒで記録バッファメモリ５に蓄積している。したがって、通常は、蓄積データ量は入力レートＭｒで増加し、上記第２の所定量を記録レートＳrで光ディスク１に記録しているときは、記録バッファメモリ５での蓄積データ量は、
【数２】
Ｒ＝（入力レートＭr）−（記録レートＲr）
で示されるレートＲで減少する。そして、記録バッファメモリ５は設定された情報記録終了時刻まで入力レートＭｒで記録バッファメモリ５に蓄積しながら、第１の所定量に達すると、Ｒ＝Ｍr−Ｒrのレートで第２の所定量を減少させる動作を繰り返すことになる。
【００２１】
なお、上記第１の所定量は、記録バッファメモリ５の容量Ｂrに基づいて、スッテップＳ９における判定からステップＳ１０におけるピックアップ２の移動を完了して記録信号Ｓrの記録を開始するまでに圧縮情報信号Ｓpdが記録バッファメモリ５に上記入力レートＭrで蓄積され続けても当該記録バッファメモリ５が満杯にならない所定量とされている。また、上記第２の所定量は、上記第１の所定量と同じとしても良いし、または記録位置のサーチや記録信号Ｓrの記録中に新たに記録バッファメモリ５に蓄積される圧縮情報信号Ｓpdの量を勘案し、記録バッファメモリ５に蓄積される全ての圧縮情報信号Ｓpdを排出すべく第１の所定量よりも多い所定量としてもよい。
【００２２】
さらに、ステップＳ１２からＳ１９の情報再生を実行する際の動作について説明する。
ステップＳ７の現在時刻が情報記録時刻Ｔoutを越えたか否かの判定で、情報記録時刻Ｔoutを越えているとき（ステップＳ７；yes）、および、ステップＳ９の記録バッファメモリ５の蓄積量が第１の所定量以上ではないとき（ステップＳ９；yes）には、情報再生を開始すべく、ステップＳ６で作成された再生アドレスｍａｐに基づいたＣＰＵ１４からの指示により、再生すべき記録信号Ｓrが記録されている光ディスク１上の位置を検索し、検索した位置に光ビームＢの光スポットを移動し（ステップＳ１２）、後述するように、再生バッファメモリ１０に検出レートＲpでデコード信号Ｓddを蓄積するとともに、蓄積されたデコード信号Ｓddを出力レートＭpで読取っていく。そして、再生バッファメモリ１０（容量はＢpである。）の空き容量が上記第３の所定量以下となったか否かを判定する（ステップＳ１３）。ここで、当該第３の所定量は、例えば、デコード信号Ｓddにおける一つのＥＣＣブロックと等しいデータ量とされる。そして、再生バッファメモり１０の空き容量が上記第３の所定量以下となったときは（ステップＳ１３；yes）、ピックアップ２を一時的に停止（サーチポーズ）させ、検出信号Ｓpの生成を停止させて（ステップＳ１４）ステップＳ１６へ移行する。なお、上述したように、この時でも、情報信号Ｓinの入力及びそれに伴う圧縮信号Ｓpdの記録バツファメモリ５への蓄積、並びに再生バッファメモリ１０からのデコード信号Ｓddの出力及びそれに伴うＤ／Ａコンバータ１２からの出力信号Ｓoutの出力は継続して出力されている。一方、ステップＳ１３の判定において、再生パッファメモリ１０の空き容量が上記第３の所定量以下でないときは（ステップＳ１３；no）読取り動作を行う（ステップＳ１５）。
【００２３】
ステップＳ１６において、全ての再生すべき情報を再生したか否かが判定され、全ての情報の再生が完了しているときは（ステップＳ１６；yes）動作を終了し（end）、全ての情報の再生が完了していないときは（ステップＳ１６；no）現在時刻が予め設定した追いつき再生終了時刻Treachを越えたか否かを判定する（ステップＳ１７）。ここで、再生終了時刻Treachを越えたときには（ステップＳ１７；yes）Ｍ倍速は必要なくなるから、ステップＳ１８で１倍速再生に必要な再生アドレスｍａｐを更新し、再生終了時刻Treachを越えないときには（ステップＳ１７；no）、ステップＳ１９でＭ倍速再生に必要な再生アドレスｍａｐを更新して、ステップＳ７に戻る。
ここで、再生アドレスｍａｐを更新するのは、上記ステップＳ７乃至Ｓｌｌによって新たに記録された情報に対して上記集中情報が更新（追加）記録されるため、かかる更新された集中情報に基づいて再生アドレスｍａｐも更新する必要があるからである。
【００２４】
次に、図２、および、図３のフローチャートを用いて説明した情報再生及び情報記録を、記録バッファメモリ５及び再生バッファメモリ１０の蓄積データ量の変化を中心として図４を用いて説明する。なお、図４は、情報記録中に情報再生が指示された場合の各蓄積データ量の変化を示すものであり、更に、図４中のピックアップ２の状態を示す図のうち、白抜き領域で示されている時間帯は検出信号Ｓｐの検出が実行されており、斜線領域で示されている時間帯は記録信号Ｓｒの記録が実行されている。
【００２５】
記録バッファメモリ５の蓄積データ量については、すでに述べたとおりであるが、まず、記録バッファメモリ５は常に入力レートＭrで圧縮情報信号Ｓpdを蓄積しているので、通常は、蓄積データ量は入力レートＭｒで増加する。ステップＳ９で記録バッファメモリ５の蓄積量が第１の所定量以上であると判定すれば（図４における時刻t1,t8）、エンコードされているエンコード信号Ｓedを光ディスク１にピックアップ２を介して記録レートＲrで記録し,第２の所定量のデータの光ディスク１への記録を終了する(時刻t2,t9)。したがって、通常は、蓄積データ量は入力レートＭｒで増加し、上記第２の所定量を記録信号Ｓrで光ディスク１に記録しているときは、記録バッファメモリ５での蓄積データ量は、
【数２】
Ｒ＝（入力レートＭr）−（記録レートＲr）
で示されるレートＲで減少する。そして、記録バッファメモリ５は設定された情報記録終了時刻まで入力レートＭｒで記録バッファメモリ５に蓄積しながら、第１の所定量に達すると、Ｒ＝Ｍr−Ｒrのレートで第２の所定量を減少させる動作を繰り返すことになる。
【００２６】
次に、再生バッファメモリ１０の蓄積量の変化について図４で説明すると、記録中における情報再生が指示されたときは（ステップＳ１２）、情報再生開始時刻t3から再生を開始するが、光ディスク１から検出レートＲpでの検出信号Ｓpの生成を開始し、かかる検出信号Ｓpに対応するデコード信号Ｓddを再生バッファメモリ１０に検出レートＲpで蓄積していき、途中の時刻t4から実際に出力レートＭpでデコード信号Ｓddが再生バッファメモリ１０から出力される。
したがって、時刻t4からは、再生バッファメモリ１０の容量が
【数３】
Ｒ’＝（検出レートＲp）―（出力レートＭp）
で示されるレートＲ’で増加するが、ステップＳ１３の判定で、再生バッファメモリ１０の空き容量が上記第３の所定量以下であると判定されたときは（時刻t5）、記録信号Ｓrの検出を停止し、出力レートＭpでの出力信号Ｓoutの出力（出力レートＭp）のみを行う。一方、空き容量が上記第３の所定量以上であると判定されたとき(時刻t6)、再び、再生バッファメモリの蓄積量が  レートＲ’＝Ｒp―Ｍp  で増加する様に、記録信号Ｓrの検出（検出レートＭp）を開始する。この様に、情報再生のみが実行されている（出力レートＭp）ときは、蓄積データ量は、その空き容量が上記最小デコード単位以下のデータ量の範囲となるように変化する。すなわち、空き容量が上記第３の所定量以上t6となると、再び、再生バッファメモリ１０の蓄積量が、レートＲ’＝ Ｒp―Ｍpで増加するように記録信号Ｓｒの検出（検出レートＲp）を開始し、その後、空き容量が第３の所定量未満となると記録信号Ｓｒの検出を停止t7し、出力レートＭｐでの出力信号Ｓoutの出力（出力レートＭp）のみを行うことを繰り返している。
【００２７】
なお、ピックアップ２による記録信号Ｓｒの記録が行われる時刻t8,t9では、記録信号の検出は行われないが、再生バッファメモリ１０からは出力レートＭpで、デコード信号Ｓddの読み出し動作が続けられる。その後はt4〜t7の動作を繰り返すことになる（ステップＳ１３,１４,１５）。
【００２８】
以上説明したように、実施形態の情報記録再生装置Ｓの動作によれば、それまでに光ディスク１に記録されていた記録信号ＳrをＭ倍速再生すると共に、外部からの情報の入力を継続しつつ未記録の記録信号Ｓrを継続記録するので、情報記録再生装置Ｓ全体として見た場合、見かけ上、情報の記録とそれまで記録された情報のＭ倍速再生を同時に進行させることができ、最後は情報の再生が情報の記録に追いつくことになり、外部からの情報をリアルタイムに再生できる。
したがって、例えば、ユーザーがテレビ番組の録画予約を午後９時から午後１１時まで行っており、午後１０時に帰宅した場合、タイムシフト再生では午後１０時から見て午後１２時まで時間が必要となるが、ユーザーの都合でやはり午後１１時までに見終るように設定する対応としては、例えば、次の３例が考えられるが、ユーザーの必要性の度合いに応じて適宜選択して設定すればよい。
（１）追いつき時刻Ｔreachを午後１１時に設定して、録画終了と同時に録画再生も午後１１時に終了する。この場合、再生速度は２倍速に設定される。
（２）再生が追いつき時刻Ｔreachを、午後１０時３０分に設定すれば、それまでに録画した１時間３０分を３０分で見終える必要があるから、  ９０min／３０min＝３倍速で再生すれば時刻１０時３０分には、録画に再生が追いつくことになり、このまま録画を継続してもよいし、あるいは、残り３０分は記録せずに、現に放送されているテレビ番組を直接見てもよい。
（３）既に記録している部分から６倍速で見ると、内容はかなり飛ばして再生することになるが、１２分で追いつことになり、残りの４８分は記録せずにリアルタイムで見ることが出来る。この場合でも、このまま録画を継続してもよい。
【００２９】
なお、上述した実施形態は、記録媒体として光ディスク１を用いた場合について説明したが、これ以外に、情報の読み書きが共に可能でありランダムアクセスが可能な記録媒体、例えば、半導体メモリ等にも適用することができる。
更に、上述した実施形態では、圧縮処理及び伸長処理を行う情報の記録再生に対して本発明を適用した場合について説明したが、これ以外に、外部からの情報の入力レートが当該情報の記録媒体への記録レートよりも低く、更に記録媒体からの情報の検出レートが外部への当該情報の出力レートよりも高い情報の記録再生を行う情報記録再生装置であれば、任意のＭ倍速再生が可能な範囲で本発明を広く適用することができる。また、任意の倍速再生には、再生時間を変えることができれば、どのような再生様態でもよく、特定記録箇所を飛ばして再生時間を短縮する様式を包含する。
【００３０】
【発明の効果】
以上説明したように、本発明に係る情報記録再生装置及び情報記録再生方法は、前述した特徴によって、一つの記録媒体に記録を継続しながら、ｍ倍速再生を決定して、同じ記録媒体に記録された内容を確認することができるので、情報の記録時間を再生に効率良く使用でき、また、再生時間を短縮できるのと同時に情報の記録も同時に進行でき、利便性を向上させることができる。また、現在時刻が予め設定されたｍ倍速再生を行う追い付き再生終了時刻を越えた場合には、１倍速再生を行うので、録画処理に再生処理が追い付いたときに１倍速の通常再生に切り換えられ、その後は録画されている情報をリアルタイムで再生することができる。
【図面の簡単な説明】
【図１】実施形態の情報記録再生装置の概要構成を示すブロック図である。
【図２】実施形態の情報記録再生の動作を示すフローチャートである。
【図３】実施形態の情報記録再生の動作を示す図２に続くフローチャートである。
【図４】各バッファメモリの蓄積データ量の変化を示す図である。
【符号の説明】
１…光ディスク
２…ピックアップ
３…Ａ／Ｄコンバータ
４…圧縮回路
５…記録バッファメモリ
６…エンコーダ
７…記録回路
８…再生回路
９…デコーダ
１０…再生バッファメモリ
１１…伸長回路
１２…Ｄ／Ａコンバータ
ｌ３…スピンドルモータ
１４…ＣＰＵ
１５…サーボ回路
１６…操作部
１７…表示部
Ｂ…光ビーム
Ｓ…情報記録再生装置
Ｐ…情報再生部
Ｒ…情報記録部
Ｓin…情報信号
Ｓd…ディジタル情報信号
Ｓpd…圧縮情報信号
Ｓed…エンコード信号
Ｓr…記録信号
Ｓpp…検出信号
Ｓpp…再生信号
Ｓdd…デコード信号
Ｓo…伸長信号
Ｓout…出力信号
Ｓmr、Ｓmp…デー夕量信号
Ｓc…指示信号
Ｓ８、Ｓ１、Ｓ２、Ｓ３、Ｓ４、Ｓ５、Ｓ６…制御信号
Ｓsp…ピックアップ制御信号
Ｓsm…スピンドル制御信号
Ｓdp…表示信号
【図１】
0003667080.tif 000002
【図２】
0003667080.tif 000003
【図３】
0003667080.tif 000004
【図４】
0003667080.tif 000005